(57)【要約】【課題】利用者の姿勢の維持を支援すること。【解決手段】着座して利用する自然人の下肢を支持する座部１３は、夫々左右の腓腹筋の外側頭と皮膚を介して接する、対となる２つの支持面１３ＳＲ，１３ＳＬを有する支持部１３ＢＲ，１３ＢＬを内含又は着脱可能に有する。支持面１３ＳＲ，１３ＳＬは、前記自然人の下肢を支持させるのに適するとして予め設定された範囲の中から選択されたパラメータに基づいて設定された、前記２つの支持面の角度θ、及び、前記２以上の支持部の間の幅Ｗを有する。【選択図】図２
2020065924.tif 000002
【特許請求の範囲】
【請求項１】
着座して利用する自然人の下肢を支持する座部であって、
夫々左右の腓腹筋の外側頭と皮膚を介して接する、対となる２つの支持面を有する支持部を内含又は着脱可能に有し、
前記支持面は、前記自然人の下肢を支持させるのに適するとして予め設定された範囲の中から選択されたパラメータに基づいて設定された、前記２つの支持面の角度、及び、前記２以上の支持部の間の幅を有する、
座部。
【請求項２】
前記座部は、前記自然人が力を抜いた際に下肢を支持させるのに適するとして予め設定された範囲の中から選択されたパラメータに基づいて設定された、前記支持部の厚さを有する、
請求項１に記載の座部。
【請求項３】
自然人に着座される椅子において、
着座して利用する前記自然人の下肢を支持する座部を備え、
前記座部は、
夫々左右の腓腹筋の外側頭と皮膚を介して接する、対となる２つの支持面を有する支持部を内含又は着脱可能に有し、
前記支持面は、前記自然人の下肢を支持させるのに適するとして予め設定された範囲の中から選択されたパラメータに基づいて設定された、前記２つの支持面の角度、及び、前記２以上の支持部の間の幅を有する、
椅子。
【請求項４】
前記座部は、前記自然人の下肢を支持させるのに適するとして予め設定された範囲の中から選択されたパラメータに基づいて設定された、前記座部の移動範囲を有する、
請求項３に記載の椅子。
【発明の詳細な説明】
【技術分野】
【０００１】
本発明は、座部、及び椅子に関する。
【背景技術】
【０００２】
これまで、所謂デスクワークの現場等において、机と椅子との組合せが利用されている。このようなデスクワーク等に利用される椅子は、利用者にとって、姿勢を楽に保てることが望ましい。例えば、利用者は、椅子の背もたれに寄りかかることで、力を抜くことができる。具体的には例えば、姿勢を維持するため、左右方向にくずれた姿勢を元の姿勢に戻しやすい座位保持装置が、提案されている（例えば、特許文献１参照）。
【先行技術文献】
【特許文献】
【０００３】
【特許文献１】特開２０１２−４６００６号公報
【発明の概要】
【発明が解決しようとする課題】
【０００４】
しかしながら、特許文献１を含む従来の技術では、利用者は、力を抜いて楽な姿勢をとることにより、体の各部位に負荷がかかることがあった。即ち例えば、利用者は、適切でない姿勢をとることで肩こりや腰痛等を発症する可能性があった。
【０００５】
本発明は、利用者の姿勢の維持を支援することを目的とする。
【課題を解決するための手段】
【０００６】
上記目的を達成するため、本発明の一態様の座部は、
着座して利用する自然人の下肢を支持する座部であって、
夫々左右の腓腹筋の外側頭と皮膚を介して接する、対となる２つの支持面を有する支持部を内含又は着脱可能に有し、
前記支持面は、前記自然人の下肢を支持させるのに適するとして予め設定された範囲の中から選択されたパラメータに基づいて設定された、前記２つの支持面の角度、及び、前記２以上の支持部の間の幅を有する。
【０００７】
本発明の一態様の椅子は、本発明の一態様の座部を備える椅子である。
【発明の効果】
【０００８】
本発明によれば、利用者の姿勢の維持を支援することができる。
【図面の簡単な説明】
【０００９】
【図１】本発明の一実施形態に係る座部を備える椅子の斜視図である。
【図２】図１の座部の斜視図である。
【図３】図１の座部の正面図である。
【図４】図１の座部の右側面図である。
【図５】図１の座部の底面図である。
【図６】図１の椅子の座部の配置を示す図である。
【図７】椅子を利用する利用者の身体寸法の測定箇所を示す図である。
【図８】図７の測定箇所の測定値を示す図である。
【図９】図１の座部の角度の検討に係る実験の結果を示す図である。
【図１０】図１の座部の幅の検討に係る実験の結果を示す図である。
【図１１】図１の座部の厚さの検討に係る実験の結果を示す図である。
【発明を実施するための形態】
【００１０】
以下、本発明の実施形態について、図面に基づいて説明する。
【００１１】
なお、以下の説明では、特に断りのない限り、次のように定義する方向を用いるものとする。
即ち、以下、重力が働く方向と垂直な面（以下、「水平面」と適宜呼ぶ）を、軸Ｘ及び軸ＹからなるＸ−Ｙ平面と呼ぶ。
本実施形態における椅子は、Ｘ−Ｙ平面に設置されるものとして、Ｘ−Ｙ平面と略平行に座部を備えるものとする。なお、座部は、利用者の臀部を乗せる略正方形の面を有するものとする。また、利用者は、当該面をなす１つの辺の側に利用者自身の両方の脚を向けて、着座しているものとして説明する。
ここで、Ｘ−Ｙ平面において、利用者の臀部を乗せる略正方形の面のうち、利用者自身の脚が向けられる１つの辺と略直行する他の辺と平行に、軸Ｘをとるものとする。この場合における、利用者からみて、利用者自身の両方の膝が向く方向を「軸Ｘが正の方向」と呼び、この反対方向を、「軸Ｘが負の方向」と呼ぶものとする。
また、Ｘ−Ｙ平面において、利用者の臀部を乗せる略正方形の面のうち、利用者自身の脚が向けられる１つの辺と平行に、軸Ｙをとるものとする。この場合における、利用者からみて、利用者自身の左腕がある側の方向を、「軸Ｙが正の方向」と呼び、この反対方向を「軸Ｙが負の方向」と呼ぶものとする。
また、重力が働く方向と逆の方向に軸Ｚ及びその方向をとものとする。即ち、椅子が設置された水平面（所謂、床面）に対して高さが高くなる方向を、「軸Ｚが正の方向」と呼び、この反対方向を「軸Ｚが負の方向」と呼ぶものとする。
【００１２】
以下、図１乃至図５を用いて本発明の実施形態に係る座部を含む椅子について説明する。
図１は、本発明の一実施形態に係る座部を備える椅子の斜視図である。
図２は、図１の座部の斜視図である。
図３は、図１の座部の正面図である。
図４は、図１の座部の右側面図である。
図５は、図１の座部の底面図である。
【００１３】
図１に示すように、椅子１は、背もたれ部１１と、背もたれアーム部１２と、座部１３と、脚部１４と、を備える。
また、図１乃至図５に示すように、座部１３は、座面部１３Ａと、支持部１３ＢＲ，１３ＢＬと、を備える。
【００１４】
ここで、座部１３の構成要素のうち軸Ｙが正の方向に配置されている構成要素には、「Ｒ」を含む符号が付されている。また、座部１３の構成要素のうち軸Ｙが負の方向に配置されている構成要素には、「Ｌ」を含む符号が付されている。つまり、図３に示すように、軸Ｚが正の方向から軸Ｘが負の方向を下向きになるように見た状態において、座部１３の右側及び左側の構成要素の夫々に対し、「Ｒ」及び「Ｌ」の符号の夫々が付されている。
なお、以下、背もたれ部１１乃至脚部１４の夫々の椅子１や座部１３の構成要素を「パーツ」とも呼ぶ。
【００１５】
まず、図１等を用いて、本発明の実施形態に係る座部１３を含む椅子１について説明する。ここで、利用者は、軸Ｘが正の方向を向いて、椅子１に着座する。
【００１６】
背もたれ部１１は、図１に示すように、椅子１のうち軸Ｘが負の方向且つ軸Ｚが正の方向に設けられた、利用者の背中を支えるパーツである。即ち、利用者は、背もたれ部１１を背中にあてて体重を預けることで、軸Ｘが負の方向に寄りかかることができる。
【００１７】
背もたれアーム部１２は、図１に示すように、椅子１の軸Ｘが負の方向に、背もたれ部１１及び後述する座部１３に接続されて設けられたパーツである。背もたれアーム部１２は、座部１３や後述する脚部１４に対して、背もたれ部１１を支持する。即ち、背もたれアーム部１２は、背もたれ部１１を介して利用者の背中を支えるパーツである。
【００１８】
座部１３は、背もたれアーム部１２及び脚部１４に接続されて設けられたパーツである。また、座部１３は、上述したように、座面部１３Ａと、支持部１３ＢＲ，１３ＢＬと、を有するパーツである。座面部１３Ａ及び支持部１３ＢＲ，１３ＢＬの詳細な配置等については、後述する。
なお、以下、支持部１３ＢＲ，１３ＢＬを個々に区別する必要が無い場合、これらをまとめて、「支持部１３Ｂ」と呼ぶ。
【００１９】
脚部１４は、座部１３と接続して設けられ、椅子の軸Ｚが負の方向に設けられたパーツである。脚部１４は、水平面（所謂、床面）に対して、椅子１を構成する他のパーツを支持する脚である。
【００２０】
以上、図１等を用いて本発明の実施形態に係る座部１３を含む椅子１について説明した。
以下、図２乃至図５を用いて、図１の椅子１が備える座部１３について説明する。
【００２１】
なお、以下、図２や図３に示すように、座部１３を構成する面のうち軸Ｚが正の方向の面１３ＳＴを、「座面１３ＳＴ」と呼ぶ。
また、以下、図２に示すように、座部１３を構成する面のうち軸Ｙが正の方向の面１３ＳＯＲを、「右面１３ＳＯＲ」と呼ぶ。
また、以下、図２に示すように、座部１３を構成する面のうち軸Ｙが負の方向の面１３ＳＯＬを、「左面１３ＳＯＬ」と呼ぶ。
また、以下、図２や図３に示すように、座部１３を構成する面のうち軸Ｘが正の方向の面１３ＳＦを、「前面１３ＳＦ」と呼ぶ。即ち、図２等に示すように、座部１３の前面１３ＳＦは、座部１３の座面部１３Ａの軸Ｘが正の方向の面である。
【００２２】
また、以下、図２や図３に示すように、座部１３を構成する面のうち、座部１３の支持部１３ＢＲを構成する面であって、軸Ｘが正の方向且つ軸Ｙが負の方向から見た場合に対向する面１３ＳＲを、「支持面１３ＳＲ」と呼ぶ。座部１３の支持面１３ＳＲは、利用者の左膝に対して接するように配置されている。具体的には例えば、支持面１３ＳＲは、利用者の左足の腓腹筋の外側頭に皮膚を介して接する。
また、以下、図２や図３に示すように、座部１３を構成する面のうち、座部１３の支持部１３ＢＬを構成する面であって、軸Ｘが正の方向且つ軸Ｙが正の方向から見た場合に対向する面１３ＳＬを、「支持面１３ＳＬ」と呼ぶ。座部１３の支持面１３ＳＬは、利用者の右膝に対して接するように配置されている。具体的には例えば、支持面１３ＳＬは、利用者の右足の腓腹筋の外側頭に皮膚を介して接する。
【００２３】
上述のように、座部１３を構成する面には、「Ｓ」を含む符号が付されている。また、座部１３の構成要素と同様に、座部１３を構成する面のうち座部１３の右側及び左側の面の夫々に対し、「Ｒ」及び「Ｌ」の符号の夫々が付されている。
なお、以下、支持面１３ＳＲ，１３ＳＬを個々に区別する必要が無い場合、これらをまとめて、「支持面１３Ｓ」と呼ぶ。
【００２４】
また、以下、図２や図３に示すように、座部１３を構成する線のうち、前面１３ＳＦと支持面１３ＳＲとの交わる線１３ＬＲを、「交線１３ＬＲ」と呼ぶ。また、以下、図２や図３に示すように、座部１３を構成する線のうち、前面１３ＳＦと支持面１３ＳＬとの交わる線１３ＬＬを、「交線１３ＬＬ」と呼ぶ。
【００２５】
以下、本明細書において、座部１３の「幅」とは、座部１３の前面１３ＳＦの４つの辺の中で、自然人（利用者）が利用している状態において、その自然人の膝の裏側と対向する辺の長さをいう。つまり、図２や図３等に示すように、座部１３の交線１３ＬＲと、座部１３の交線１３ＬＬとの間の長さＷが、座部１３の幅Ｗである。また、座部１３の前面１３ＳＦの軸Ｙの方向の長さＷが、座部１３の幅Ｗとも言える。
また、本明細書において、座部１３の「角度」とは、交線１３ＬＲを中心として座部１３の前面１３ＳＦと支持面１３ＳＲとの成す角度のことをいう。即ち、座部１３の角度とは、前面１３ＳＦと支持面１３ＳＲとの二面角である。図２や図３に示すように、座部１３の前面１３ＳＦと、座部１３の支持面１３ＳＲとが成す角度が、座部１３の角度θである。なお、座部１３は、軸Ｙの方向の中心を通るＸ−Ｚ平面に対して、対称な形状を有している。即ち、座部１３の前面１３ＳＦと、座部１３の支持面１３ＳＬとが成す角度も、座部１３の角度θである。なお、座部１３の角度θは、９０度以上且つ１８０度以下の角度であるものとして説明する。
また、本明細書において、座部１３の「厚さ」とは、座部１３の左面１３ＳＯＬの４つの辺の中で、利用者の膝を支持する面に対応する辺の厚みである。つまり、図２や図３等に示すように、座部１３の左面１３ＳＯＬの軸Ｚの方向の長さＤが、座部１３の厚さＤである。
【００２６】
以下、図２乃至図５を用いて、図１の椅子１が備える座部１３について説明する。
図２や図３を見ると、座部１３は、上述したように、座面部１３Ａと、支持部１３ＢＲ，１３ＢＬと、を有する。
座面部１３Ａは、利用者の臀部を乗せるＸ−Ｙ平面に略平行な略正方形の面を有するパーツである。即ち、利用者は、軸Ｚが正の方向から座部１３の座面部１３Ａに臀部を乗せることで着座する。
【００２７】
支持部１３ＢＲは、座面部１３Ａの軸Ｘが正の方向かつ軸Ｙが正の方向の位置に設けられたパーツである。また、支持部１３ＢＬは、座面部１３Ａの軸Ｘが正の方向かつ軸Ｙが負の方向の位置に設けられたパーツである。支持部１３ＢＲと、支持部１３ＢＬとは、座部１３の前面１３ＳＦを介して配置されている。即ち、支持部１３ＢＲと、支持部１３ＢＬとは、互いに幅Ｗだけ離れて配置されている。
上述したように、利用者は、軸Ｘが正の方向を向いて、椅子１に着座する。即ち、支持部１３ＢＲ，１３ＢＬの夫々は、利用者の左右に配置され、利用者の下肢を支持する。
利用者の下肢がどのように支持されるかは、上述の座部１３の幅Ｗ、角度θ、及び厚さＤにより変化する。どのような条件の場合に利用者の下肢が適切に支持されるのかについては、図７乃至図１１を用いて後述する。
【００２８】
以上、図２乃至図５を用いて、図１の椅子１が有する、本発明の実施形態に係る座部１３について説明した。
以下、図６を用いて、図１の椅子１における、座部１３の配置について説明する。
【００２９】
図６は、図１の椅子の座部の配置を示す図である。
図６（Ａ）は、座部１３を軸Ｘが負の方向に配置された状態を示す図である。図６（Ａ）の座部１３において、座部１３の前面１３ＳＦから、背もたれ部１１を構成する面のうち軸Ｘが正の方向の面との軸Ｘ方向の距離は、長さＬ１である。
図６（Ｂ）は、座部１３を軸Ｘが正の方向に配置された状態を示す図である。図６（Ｂ）の座部１３において、座部１３の前面１３ＳＦから、背もたれ部１１を構成する面のうち軸Ｘが正の方向の面との軸Ｘ方向の距離は、長さＬ２である。
図６（Ａ）及び（Ｂ）を比較すると、椅子１を構成する座部１３は、椅子１が備える他のパーツに対して配置が異なる。具体的には、図６（Ｂ）における座部１３は、図６（Ａ）における座部１３と比較して、軸Ｘが正の方向に配置されている。即ち、図６において、長さは、長さＬ１＜長さＬ２の関係にある。
一方、椅子１を構成する、背もたれ部１１と、背もたれアーム部１２と、脚部１４とは相互に配置は異なっていない。
このように、椅子１は、座部１３の軸Ｘの方向に対する位置を変更して配置（固定）することができる。つまり、椅子１は、座部１３の移動範囲として、所定の長さの範囲を有する。即ち、座部１３は、椅子１の他のパーツに対して位置を移動することができる。そこで、以下、座部１３に関する軸Ｘの方向の移動可能な範囲を「移動範囲」と呼ぶ。
【００３０】
ここで、図２や図３をみると、座部１３は以下のような形状を有する。椅子１の支持部１３Ｂは、以下のようにして利用者の下肢を支持する。即ち、支持部１３ＢＲ，１３ＢＬの夫々は、支持面１３ＳＲ，１３ＳＬの夫々を有する。支持部１３ＢＬの支持面１３ＳＬと、座部１３の前面１３ＳＦとは、角度θを成す。同様に、支持部１３ＢＲの支持面１３ＳＲと、座部１３の前面１３ＳＦとは、角度θを成す。これにより、支持部１３ＢＲ及び支持部１３ＢＬの軸Ｙの方向の距離は、軸Ｘが正の方向に進むほど広い。利用者からみれば、膝の位置は軸Ｘが正の方向にあるほど、左右の膝同士の軸Ｙの方向の距離が広くなる。
【００３１】
図６を用いて説明したように椅子１における座部１３の配置が変更されることで、座部１３の配置が変わる。即ち、座部１３の配置が変更されることで、座部１３に対する軸Ｘの方向における膝の位置が変わる。換言すれば、利用者は、座部１３の軸Ｘの方向における配置を変更することで、左右の膝同士の軸Ｙの方向の距離を変更することができる。
詳細は後述するが、利用者の体格や好み等により、適切な左右の膝同士の軸Ｙの方向の距離は異なる。つまり、椅子１における座部１３の配置が変更できることにより、利用者は利用者自身の体格や好み等に合わせた左右の膝同士の軸Ｙの方向の距離に変更することができる。どのような長さＬ１，Ｌ２に変更できると、様々な体格や好み等の利用者に適するのかについては、後述する。
【００３２】
以上、図６を用いて、図１の椅子１における、座部１３の配置について説明した。
以下、図７及び図８を用いて、図１の椅子１や座部１３を利用することの、利用者の着座姿勢についての実験について説明する。
【００３３】
まず、利用者が通常の椅子に着座した場合における、利用者の身体寸法について説明する。
図７は、椅子を利用する利用者の身体寸法の測定箇所を示す図である。
図７（Ａ）は、椅子に着座する利用者の脚を軸Ｚが正の方向から示す図である。
図７（Ｂ）は、椅子に着座する利用者の脚を軸Ｘが正の方向から示す図である。
図７（Ａ）及び（Ｂ）に示すように、利用者の着座姿勢についての実験のため、５種のパラメータを測定した。
【００３４】
即ち、図７（Ａ）に示すように、着座した利用者において、利用者の右膝のうち軸Ｙが負の方向の端から、利用者の左膝のうち軸Ｙが正の方向の端までの距離ｄ１を、座位膝間距離ｄ１として測定した。
また、図７（Ａ）に示すように、着座した利用者において、利用者の右膝のうち軸Ｘが正の方向の端から、利用者の左膝のうち軸Ｘが正の方向の端までの距離ｄ２を、座位膝蓋骨中点間距離ｄ２として測定した。
また、図７（Ａ）に示すように、着座した利用者において、利用者の右膝のうち軸Ｙが正の方向の端から、利用者の左膝のうち軸Ｙが負の方向の端までの距離ｄ３を、座位脛骨内側顆上縁間距離ｄ３として測定した。
【００３５】
即ち、図７（Ｂ）に示すように、着座した利用者において、利用者の右足首のうち軸Ｙが正の方向の端から、利用者の左足首のうち軸Ｙが正の方向の端までの距離ｄ４を、内果端点間距離ｄ４として測定した。
また、図７（Ｂ）に示すように、着座した利用者において、利用者の右足首のうち軸Ｙが負の方向の端から、利用者の左足首のうち軸Ｙが正の方向の端までの距離ｄ５を、外果点間距離ｄ５として測定した。
【００３６】
即ち、本実験の実験者は、以下の通り、上述の５種の距離の測定を行った。
まず、本実験により測定される被測定者として、１２名の大学生（２０歳乃至２２歳、６名の男性及び６名の女性）、及び職員８名（３６歳乃至６４歳、４名の男性及び４名の女性）の計２０名を設定した。
なお、被測定者の年齢等の平均値及び標準偏差は、以下の通りである。
被測定者の年齢は、３０．５±１３．２歳であった。また、被測定者の身長は１６５０±７６．３ｍｍであった。また、被測定者の座高は１２７４±５０．６ｍｍであった。また、被測定者の体重は６２．３±１１．５ｋｇであった。また、被測定者のＢＭＩは２２．３±３．６ｋｇ／ｍ２であった。
次に、実験者は、被測定者が椅子に着座した状態でＰＣを用いた作業を行っている時とリラックスしている時との図７に示す５種の距離を、マルチン計測器を用いて計測した。
【００３７】
なお、実験者は、被験者に以下の通り教示した。
教示１．ＰＣ作業時の姿勢をとる際には、椅子に座り、普段作業を行うときのように椅子の座面と高さ、ディスプレイの角度を調節してください。なお、足は組まないで、普段通りに座ってください。
教示２．リラックス時の姿勢をとる場合には、椅子に座り、普段のように部屋でくつろぐときのように足を楽にしてください。なお、足は組まないで、普段通りに座ってください。
【００３８】
図８は、図７の測定箇所の測定値を示す図である。
図８に示す棒グラフには、図７を用いて説明した５種の距離の夫々が、図示されている。ここで、図８に示す棒グラフには、ＰＣ作業時及びリラックス時の組として、５種の距離の夫々が、図示されている。なお、図８の測定値には、誤差棒として当該測定値の標準偏差が図示されている。
なお、図８に示すＰＣ作業時の結果は、利用者がＰＣを用いた作業を行っていることを想定している測定結果をいう。また、図８に示すリラックス時の結果は、利用者がリラックスしている時を想定している測定結果をいう。
つまり、ＰＣ作業時の利用者は、緊張した状態であると言える。また、リラックス時の利用者は、緊張を解いた（力を抜いた）楽な状態であると言える。換言すれば、図８を見ると、５種の距離の夫々が、緊張した状態と楽な状態とにおいて、どのように変化するかを確認できる。
【００３９】
図８を見ると、ＰＣ作業時と比較してリラックス時において、座位膝間距離ｄ１乃至外果点間距離ｄ５の５種の距離のすべてが、有意に長くなっている。即ち、被測定者は、緊張した状態と比較して楽な状態において、座位膝間距離ｄ１乃至外果点間距離ｄ５の５種の距離が長くなることが分かった。
【００４０】
上述の結果に基づくと、自然人（被測定者）は、ＰＣ作業時であってもリラックス時であっても、椅子に着座した状態において、自然と自身の右脚と左脚とが離れるということが分かる。更に言えば、自然人（被測定者）は、ＰＣ作業時と比較してリラックス時にはさらに、自身の右脚と左脚とが更に離れるということが分かる。
しかしながら、楽な姿勢をとった場合、自然人は、体の各部位に負荷がかかることがある。即ち例えば、利用者は、適切でない姿勢をとることで肩こりや腰痛等を発症する可能性がある。また、上述したように、ＰＣ作業時と比較してリラックス時にはさらに、自身の右脚と左脚とが更に離れるということから、ＰＣ作業時にはリラックス時と比較して右膝と左膝とが近くなるとも言える。
そこで、発明者は、自然人（利用者）が力を抜いた状態において、自然と開く下肢（膝等）を支持することにより、姿勢を維持する座部１３を創作した。これにより、自然人（利用者）が力を抜いた状態においても、適切な姿勢をとることで肩こりや腰痛等を発症する可能性を低減できる。
【００４１】
逆に言えば、姿勢を維持する座部１３を利用した場合、利用者は、力を抜いた状態にも関わらず、姿勢を維持され、所謂「良い姿勢」を保つことができる。
【００４２】
以上、図７及び図８を用いて、図１の椅子１や座部１３を利用することの、利用者への利点等について説明した。
以下、図９乃至図１１を用いて、座部１３の角度θ、幅Ｗ、及び厚さＤの最適値の検討に係る実験及びその結果について説明する。
【００４３】
まず、実験者は、以下のパラメータの座部１３を用意した。
具体的には、実験者は、角度θとして、１１５度、１２５度、１３５度、１４５度、及び支持部１３Ｂなしの５水準（種）の角度の座部を、発泡プラスチック保温材等で制作し用意した。
また、実験者は、幅Ｗとして、２３０ｍｍ、２６０ｍｍ、２９０ｍｍ、３２０ｍｍ、及び支持部１３Ｂなしの５水準（種）の幅の座部を、発泡プラスチック保温材等で制作し用意した。
また、実験者は、厚さＤとして、３０ｍｍ、５０ｍｍ、７５ｍｍ、１０５ｍｍ、及び支持部１３Ｂなしの５水準（種）の厚さの座部を用意した。
【００４４】
次に、実験者は、座部１３を椅子１に固定する以下の機構を用意した。
具体的には、図６に示す長さＬ１，Ｌ２として、設定可能な座部１３の移動範囲として、３９０ｍｍから４９２．５ｍｍに調整できる機構を用意した。また、図６に示す長さＬ１，Ｌ２として、上述の移動範囲を、２０．５ｍｍピッチで６段階可動できる機構を用意した。即ち、座部１３の移動範囲として、３９０ｍｍから４９２．５ｍｍが採用されている。
なお、移動範囲及びピッチは、男女２０〜４９歳の座位殿−膝窩距離の５％ｉｌｅ値〜９５％ｉｌｅ値に対応できるように算出した。
ここで、「％ｉｌｅ」とは、データを大きさ順で並べ、小さいほうからのどの位置にあるかを見る指標であって、当該位置をパーセントで表現した指標である。
【００４５】
ここで、被験者は、本実験に係る評価として、以下の観点について５段階評定尺度で評価を行った。
観点１．脚（あし）の楽さ
観点２．脚（あし）の心地よさ
観点３．各条件（下肢側面支持角度、座面前端幅、支持面厚）の適切さ
観点４．脚（あし）の固定度
観点５．座面の回転のしやすさ
観点６．下肢側面支持による総合的な好ましさ
【００４６】
なお、実験者は、被験者に以下の通り教示した。
教示１．評価は下肢側面支持角度、座面前端幅、下肢側面支持面厚み（支持位置）の順に行います。
教示２．座面形状条件が違う座面が５つあり、１つずつ評価してもらいます。観点は６項目あります。
教示３．はじめに評価してもらう５つの座面に座ってもらい、それぞれ違いを確認してください。
教示４．こちらが提示した椅子に座ってもらい、日本語入力作業を行う姿勢になってください。
教示５．評価は下肢側面支持部に関してだけで行ってください。座面の固さ、背もたれの角度、支持部の固さにともなう痛み等は評価から外してください。
教示６．各観点について評価してください。
教示７．５つの座面形状の評価を行ってもらったら、評価を終了します。次のグループの評価実験開始まで５分程度休憩してください。
教示８．下肢側面支持角度が異なる５条件の後、同様に座面前端幅が異なる５条件、下肢側面支持面厚が異なる５条件で評価を繰り返します。
教示９．すべての評価を終えたら、実験は終了になります。
【００４７】
なお、被験者の年齢等の平均値及び標準偏差は、以下の通りである。
被験者は、１２名の大学生（２０歳乃至２２歳、６名の男性及び６名の女性）、及び職員８名（３６歳乃至６４歳、４名の男性及び４名の女性）であった。また、被験者の年齢は３０．５±１３．２歳であった。また、被験者の視力は１．３±０．３であった。また、被験者のＰＣの経歴は１３．４±９．９年であった。また、被験者の基本座位姿勢における座面高は４２３．４±８．８ｍｍであった。また、被験者の足置台分を差し引いた座面高は３７８．０±７．６ｍｍであった。また、被験者の基本座位姿勢における机面高は７０５．５±１９．９ｍｍであった。また、被験者の足置台分を差し引いた机面高は６６３．１±１８．２ｍｍであった。また、被験者の机面前端からＰＣ前端までの距離は６０．０±４７．５ｍｍであった。また、被験者の机面前端から画面中央までの距離は３８７．９±４７．２ｍｍであった。また、被験者の当日の健康状態は「良い」７０％、「非常に良い」３０％であった。また、被験者の足置き台を使用した人は６０％、使用しなかった人は４０％であった。また、被験者の利き手は、右利きが１７名、左利きが３名であった。また、被験者の前日の睡眠時間は６．４±１．６時間であった。
【００４８】
以下、上述の実験の結果について、図９乃至図１１を用いて説明する。
図９は、図１の座部の角度の検討に係る実験の結果を示す図である。
【００４９】
図９を見ると、横軸に下肢側面支持角度（°）（角度θ）、縦軸に総合的好ましさスコア（点）を取ったグラフが示されている。即ち、角度θの夫々における、被験者らの総合的好ましさ（点）の平均値及び標準偏差の夫々が示されている。図９に示される曲線は、上述の総合的好ましさスコア（点）の平均値及び標準偏差に対する回帰分析の結果である。なお、回帰分析は、総合的好ましさスコアを変数ｙ、角度θを変数ｘとした、変数ｘを引数とした二次関数に対して行った。
回帰分析の結果、最適な角度θは、１３２．８度であった。
【００５０】
図１０は、図１の座部の幅の検討に係る実験の結果を示す図である。
【００５１】
図１０を見ると、横軸に座面前端幅（ｍｍ）（幅Ｗ）、縦軸に総合的好ましさスコア（点）を取ったグラフが示されている。即ち、幅Ｗの夫々における、被験者らの総合的好ましさ（点）の平均値及び標準偏差の夫々が示されている。図１０に示される曲線は、上述の総合的好ましさスコア（点）の平均値及び標準偏差に対する回帰分析の結果である。なお、回帰分析は、総合的好ましさスコアを変数ｙ、幅Ｗを変数ｘとした、変数ｘを引数とした二次関数に対して行った。
回帰分析の結果、最適な幅Ｗは、２７３．７ｍｍであった。
【００５２】
図１１は、図１の座部の厚さの検討に係る実験の結果を示す図である。
【００５３】
図１１を見ると、横軸に支持面厚（ｍｍ）（厚さＤ）、縦軸に総合的好ましさスコア（点）を取ったグラフが示されている。即ち、厚さＤの夫々における、被験者らの総合的好ましさ（点）の平均値及び標準偏差の夫々が示されている。図１１に示される曲線は、上述の総合的好ましさスコア（点）の平均値及び標準偏差に対する回帰分析の結果である。なお、回帰分析は、総合的好ましさスコアを変数ｙ、厚さＤを変数ｘとした、変数ｘを引数とした二次関数に対して行った。
回帰分析の結果、最適な厚さＤは、６６．６ｍｍであった。
【００５４】
以上、図９乃至図１１を用いて、座部１３の角度θ、幅Ｗ、及び厚さＤの最適値の検討に係る実験及びその結果について説明した。
以下、実験により把握された、椅子１の利用者が享受できる効果について説明する。
【００５５】
利用者は、椅子１を利用することにより、従来の椅子に比べて、下肢が顕著に楽になる。
また、利用者は、椅子１を利用することにより、従来の椅子に比べて、下肢が顕著に心地よく感じられる。
また、利用者は、椅子１を利用することにより、従来の椅子に比べて、下肢が固定（安定）する。
また、利用者は、椅子１を利用することにより、従来の椅子に比べて、座面が顕著に回転しやすい。
また、利用者は、椅子１を利用することにより、従来の椅子に比べて、顕著に快適に座れる。
【００５６】
更に言えば、椅子１は、座部１３を前後可動できるしくみによって、使用者の体格にかかわらず、最適下肢側面支持位置で下肢側面を支持することができる。
具体的には、座部１３の角度θとして１３５度、座部１３の幅Ｗとして２６０ｍｍ、座部１３の厚さＤとして７５ｍｍを採用した場合における、図１の椅子１の座部１３の配置は以下の通りが好適である。図６に示すように、椅子１の座部１３は、軸Ｘの方向に前後することができる。この椅子１の座部１３を前後できる距離（即ち、図６の長さＬ１や長さＬ２が取りえる範囲）は、８０ｍｍとすると好適である。この場合、座部１３を無段階で調節することで、日本人成人の９０％ｉｌｅに適合することができる。
【００５７】
以上、実験により把握された、椅子１の利用者が享受できる効果について説明した。
以下、利用者がどのように椅子１や座部１３を利用するのかについて説明する。
【００５８】
まず、利用者は、座部１３に臀部を乗せて着座する。この時、利用者は、図１等に示す軸Ｘが正の方向を向いて着座する。
次に、利用者は、図６に示すように、利用者自身の好みに合わせた位置に、椅子１に対する座部１３の位置を前後させる。この時、利用者は、膝を、座部１３の支持部１３ＢＲ，１３ＢＬの間に置く。これにより、座部１３の支持面１３ＳＲ，１３ＳＬの夫々が利用者の両膝の外側（例えば、右膝に対して軸Ｙが負の方向側、左膝に対して軸Ｙが正の方向側）の夫々に接する。つまり、座部１３の支持面１３ＳＲ，１３ＳＬの夫々により、利用者の両膝の夫々が支持される。
【００５９】
利用者は、このように椅子１や座部１３に着座することにより、利用者の両膝の外側を支持される。これにより、利用者は、力を抜いた状態にも関わらず、姿勢を維持され、所謂「良い姿勢」を保つことができる。
【００６０】
以上本発明の一実施形態について説明したが、本発明は、上述の実施形態に限定されるものではなく、本発明の目的を達成できる範囲での、変形、改良等は本発明に含まれるものである。
【００６１】
即ち例えば、上述の実施形態では、座部１３の支持部１３ＢＲ，１３ＢＬは、着座した自然人の左膝及び右膝の夫々に触れるものとして説明したが、特にこれに限定されない。即ち例えば、座部１３の支持部１３ＢＲ，１３ＢＬは、着座した自然人の両脚（特に膝）が開かないように支持（力を加える）ことができれば足りる。
具体的には例えば、座部１３の支持部１３ＢＲ，１３ＢＬは、着座した自然人の左膝及び右膝の夫々の腓腹筋の外側頭と皮膚を介して接していれば足りる。
また例えば、座部１３の支持部１３ＢＲ，１３ＢＬは、着座した自然人の左膝及び右膝として、当該自然人の下肢のうちの下腿の上部を外側（例えば、自然人の左膝には軸Ｙが正の方向、また、自然人の右膝には軸Ｙが負の方向）から、支持することができれば足りる。
また例えば、座部１３の支持部１３ＢＲ，１３ＢＬは、着座した自然人の左膝及び右膝として、当該自然人の下肢のうちの下腿の上部を腓側から、支持することができれば足りる。
更に言えば、座部１３の支持部１３ＢＲ，１３ＢＬは、着座した自然人の下肢のうちの下腿の上部ではなく、大腿の下部を支持してもよく、大腿の下部や下腿の上部のうち少なくとも一方を含む所定の位置を支持することができれば足りる。ここで、下腿の「上部」とは、例えば、下腿の長手方向における半分の長さの位置よりも膝に近い側を言う。また、大腿の「下部」とは、例えば、大腿の長手方向における半分の長さの位置よりも膝に近い側を言う。また、腓側とは、下腿の腓骨のある側（小指側）のことを言う。
【００６２】
これらをまとめると、上述の実施形態では、座部１３の支持部１３ＢＲ，１３ＢＬは、着座した自然人の左膝及び右膝として、当該自然人の下肢のうちの下腿の上部の外側に接していた。
即ち、座部１３の支持部１３ＢＲ，１３ＢＬは、着座した自然人の左膝及び右膝の周囲に接することにより、左膝と右膝とを近づける方向に力を加えたり、所定の距離以上に離れないように支えたりすることができれば足りる。
【００６３】
また例えば、上述の実施形態では、座部１３の支持部１３ＢＲ，１３ＢＬは、座部１３と一体で形成されているものとして説明したが、特にこれに限定されない。即ち、座部１３の支持部１３ＢＲ，１３ＢＬは、座部１３に内含（一体で形成）されていたが、座部１３と着脱可能であってもよい。即ち例えば、座部１３の支持部１３Ｂは、座部１３の座面１３ＳＴに対して所定の位置に配置され、自然人の膝等を支持することができれば足りる。
【００６４】
また例えば、上述の実施形態では、座部１３は、１人の自然人により着座される、ＰＣ作業時に有効な座部であるとして説明したが、特にこれに限定されない。即ち例えば、本発明が適用される椅子は、ＰＣ作業時に利用されるオフィスチェア等に限らず待合室の椅子（ソファ）等に採用することができる。
また例えば、椅子の設計者は、座部１３の右面１３ＳＯＲと、他の座部１３の左面１３ＳＯＬとが接するように設置（又は一体の構造）することにより、数人掛けの椅子（例えば、待合室のソファ）に座部１３を採用することができる。
【００６５】
以上まとめると、本発明が適用される座部は、次のようなものであれば足り、各種各様な実施形態をとることができる。
【００６６】
即ち、本発明が適用される座部（例えば、図１の座部１３）は、
着座して利用する自然人の下肢を支持する座部であって、
夫々左右の腓腹筋の外側頭と皮膚を介して接する、対となる２つの支持面（支持面１３ＳＲ及び１３ＳＬ）を有する支持部（支持部１３ＢＲ及び１３ＢＬ）を内含又は着脱可能に有し、
前記支持面は、前記自然人の下肢を支持させるのに適するとして予め設定された範囲（例えば、設置場所や利用目的から決まる取りうる角度や支持部の間の幅の範囲）の中から選択されたパラメータ（例えば、当該自然人の判断結果）に基づいて設定された、前記２つの支持面の角度、及び、前記２以上の支持部の間の幅を有する、
座部であれば足りる。
【００６７】
これにより、このような椅子に着座した自然人は、自然と開く下肢（膝等）を支えられる。これにより、自然人は、たとえ力を抜いた状態においても、適切な姿勢をとることで肩こりや腰痛等を発症する可能性を低減できる。
【００６８】
前記座部は、前記自然人が力を抜いた際に膝を支持させるのに適するとして予め設定された範囲の中から選択されたパラメータに基づいて設定された、前記支持部の厚さを有する、
ことができる。
【００６９】
また、自然人に着座される椅子において、
着座して利用する前記自然人の下肢を支持する座部を備え、
前記座部は、
夫々左右の腓腹筋の外側頭と皮膚を介して接する、対となる２つの支持面を有する支持部を内含又は着脱可能に有し、
前記支持面は、前記自然人の下肢を支持させるのに適するとして予め設定された範囲の中から選択されたパラメータに基づいて設定された、前記２つの支持面の角度、及び、前記２以上の支持部の間の幅を有する、
椅子であれば足りる。
【００７０】
前記座部は、前記自然人の下肢を支持させるのに適するとして予め設定された範囲の中から選択されたパラメータに基づいて設定された、前記座部の移動範囲を有する、
ことができる。
【符号の説明】
【００７１】
１・・・椅子、１１・・・背もたれ部、１２・・・背もたれアーム部、１３・・・座部、１３Ａ・・・座面部、１３Ｂ，１３ＢＲ，１３ＢＬ・・・支持部、１４・・・脚部
【図１】
2020065924.tif 000003
【図２】
2020065924.tif 000004
【図３】
2020065924.tif 000005
【図４】
2020065924.tif 000006
【図５】
2020065924.tif 000007
【図６】
2020065924.tif 000008
【図７】
2020065924.tif 000009
【図８】
2020065924.tif 000010
【図９】
2020065924.tif 000011
【図１０】
2020065924.tif 000012
【図１１】
2020065924.tif 000013